(57)【要約】【課題】  条間が狭くても作溝でき、土の塊が引っ掛かり難くすること。【解決手段】  本発明の作溝器６は、進行方向である前方に対して左右方向に列設された複数の櫛刃１５により圃場Ｈの表面に複数の溝Ｍを形成するように構成されている。複数の櫛刃１５は、前後２列に列設されるとともに、前列の櫛刃１５ａと後列の櫛刃１５ｂが前方から見て互い違いに配置されており、前列の各櫛刃１５ａのすぐ後側には、先端部が当該櫛刃の後方、且つ、後列の櫛刃１５ｂの側方に延びるように突設された可撓性を有する溝埋まり防止具１６が配置されている。【選択図】      図３
2014023498.tif 000002
【特許請求の範囲】
【請求項１】
進行方向である前方に対して左右方向に列設された複数の櫛刃により圃場表面に複数の溝を形成するように構成された作溝器であって、
前記複数の櫛刃は、前後２列に列設されるとともに、前列の櫛刃と後列の櫛刃が前方から見て互い違いに配置されており、
前記前列の各櫛刃のすぐ後側には、先端部が当該櫛刃の後方、且つ、前記後列の櫛刃の側方に延びるように突設された可撓性を有する溝埋まり防止具が配置されている作溝器。
【請求項２】
前記溝埋まり防止具は、筒状、棒状、帯状又は紐状に形成された請求項１記載の作溝器。
【発明の詳細な説明】
【技術分野】
【０００１】
本発明は、播種機等に装備され、圃場の表面に複数の溝を形成する作溝器に関するものである。
【背景技術】
【０００２】
従来の作溝器としては、特許文献１に記載された移植機等の作溝装置を例示する。この作溝装置は、図５に示すように、支持アーム１３１の先端に支柱１３２を設け、この支柱１３２に多数の櫛刃１３３を取り付けた構成となっている。
【先行技術文献】
【特許文献】
【０００３】
【特許文献１】実開平６−５７１１１号公報（段落０００９、図６〜図８）
【発明の概要】
【発明が解決しようとする課題】
【０００４】
ところが、条間を例えば４０ｍｍと狭くする場合、土の塊が櫛刃１３３同士の間に引っ掛かってしまい、そのまま引きずって行きやすいという課題がある。このため、このように条間を狭くする場合は、作溝装置全体を上げて機能させないで種を播いているが、そうすると覆土の精度が低下するという課題がある。
【課題を解決するための手段】
【０００５】
前記課題を解決するために、本発明の作溝器は、
進行方向である前方に対して左右方向に列設された複数の櫛刃により圃場表面に複数の溝を形成するように構成された作溝器であって、
前記複数の櫛刃は、前後２列に列設されるとともに、前列の櫛刃と後列の櫛刃が前方から見て互い違いに配置されており、
前記前列の各櫛刃のすぐ後側には、先端部が当該櫛刃の後方、且つ、前記後列の櫛刃の側方に延びるように突設された可撓性を有する溝埋まり防止具が配置されている。
【０００６】
この構成によれば、前記複数の櫛刃は、前後２列に列設されるとともに、前列の櫛刃と後列の櫛刃が前方から見て互い違いに配置されているので、隣接する櫛刃同士の間隔を溝の条間よりも広く確保でき、土の塊が櫛刃同士の間に引っ掛かり難くすることができる。
また、前記前列の各櫛刃のすぐ後側には、先端部が当該櫛刃の後方、且つ、前記後列の櫛刃の側方に延びるように突設された可撓性の溝埋まり防止具が配置されているので、前記前列の櫛刃により形成された溝が、前記後列の櫛刃によって土寄せされ埋められてしまうことを防止できる。
この溝埋まり防止具は、可撓性を有しており、該溝埋まり防止具と前記後列の櫛刃の間に土の塊がきても、該溝埋まり防止具が変形するので、土の塊が引っ掛かり難い。
【０００７】
前記溝埋まり防止具としては、特に限定されないが、筒状、棒状、帯状又は紐状に形成された態様を例示する。
【０００８】
前記溝埋まり防止具の可撓性の程度、左右方向の幅、断面形状、長さ等の具体的な形態としては、特に限定されないが、溝の埋まり防止作用と、土の塊の引っ掛かり防止作用とが両立するように、圃場の状態に応じて適宜設定することが好ましい。
【発明の効果】
【０００９】
本発明に係る作溝器によれば、条間が狭くても作溝でき、土の塊が引っ掛かり難いという優れた効果を奏する。
【図面の簡単な説明】
【００１０】
【図１】本発明を具体化した一実施形態に係る作溝器を備えた播種機の右側面、底面及び背面を示す斜視図である。
【図２】同作溝器の右側面、底面及び背面を示す斜視図である。
【図３】同作溝器を示す図であり、（ａ）は正面図、（ｂ）は底面図である。
【図４】図３のＩＶ−ＩＶ線拡大断面図である。
【図５】従来の作溝装置を示す斜視図である。
【発明を実施するための形態】
【００１１】
図１〜図４は本発明を具体化した一実施形態の作溝器６を備えた播種機１を示しており、各図において、矢印Ｆは機体前側を指し示している。この播種機１は、図１に示すように、前後の車輪としての駆動輪２及び鎮圧輪３により圃場Ｈを走行自在に支持された機体４を備えている。機体４には、左右方向に列設された５台の播種ユニット５と、該播種ユニット５の前方で種子を播く溝Ｍを圃場Ｈに作る作溝器６と、該播種ユニット５の後方で該溝Ｍに覆土する覆土板７と、駆動輪２の回転を各播種ユニット５に伝動する伝動機構（図示略）と、機体４を操縦するためのハンドル１０と、駆動輪２及び鎮圧輪３に付着した土砂をそれぞれ掻き落とすスクレーパ１１、１２とが搭載されている。そして、播種機１は、機体４の進行に伴って圃場Ｈに作溝器６で溝Ｍを作成し、該溝Ｍに播種ユニット５で播種し、該溝Ｍを覆土板７で覆土し、それを鎮圧輪３で鎮圧するように構成されている。
【００１２】
作溝器６は、図２〜図４に示すように、進行方向である前方に対して左右方向に列設された複数（本例では１０本）の櫛刃１５により圃場Ｈの表面に複数の溝Ｍを形成するように構成されている。本発明の作溝器６においては、左右方向に延びる作溝器本体１４に対し、複数の櫛刃１５が、前後２列に列設（本例では各列５本ずつ列設）されるとともに、前列の櫛刃１５ａと後列の櫛刃１５ｂが前方から見て互い違いに配置されている（図３参照）。前列の各櫛刃１５ａのすぐ後側には、先端部（後端部）が当該櫛刃１５ａの後方、且つ、後列の櫛刃１５ｂの側方に延びるように突設された可撓性を有する溝埋まり防止具１６が配置されている（図４参照）。溝埋まり防止具１６は、左右方向における幅が櫛刃１５ａよりもやや広い筒状に形成されており、作溝器本体１４の底面に設けられた突部１７（図４参照）に嵌めることにより取り付けられている。溝埋まり防止具１６としては、特に限定されないが、弾性を有するチューブやホース（例えばビニールチューブやビニールホース）を用いることを例示する。また、溝埋まり防止具１６の幅としては、特に限定されないが、櫛刃１５ａと同等にしてもよい。
【００１３】
以上のように構成された本例の作溝器６によれば、複数の櫛刃１５は、前後２列に列設されるとともに、前列の櫛刃１５ａと後列の櫛刃１５ｂが前方から見て互い違いに配置されているので、隣接する櫛刃１５同士の間隔を溝Ｍの条間よりも広く確保でき、土の塊が櫛刃１５同士の間に引っ掛かり難くすることができる。
また、前列の各櫛刃１５ａのすぐ後側には、先端部が当該櫛刃の後方、且つ、後列の櫛刃１５ｂの側方に延びるように突設された可撓性の溝埋まり防止具１６が配置されているので、前列の櫛刃１５ａにより形成された溝Ｍが、後列の櫛刃１５ｂによって土寄せされ埋められてしまうことを防止できる。
この溝埋まり防止具１６は、可撓性を有しており、該溝埋まり防止具１６と後列の櫛刃１５ｂの間に土の塊がきても、該溝埋まり防止具１６が変形するので、土の塊が引っ掛かり難い。
【００１４】
なお、本発明は前記実施形態に限定されるものではなく、例えば以下のように、発明の趣旨から逸脱しない範囲で適宜変更して具体化することもできる。
（１）溝埋まり防止具１６を棒状、帯状又は紐状に形成すること。
（２）櫛刃１５の本数を適宜変更すること。
（３）本発明の作溝器６を播種機以外の農作業機（移植機等）に適用すること。
【符号の説明】
【００１５】
１    播種機
２    駆動輪
３    鎮圧輪
４    機体
５    播種ユニット
６    作溝器
７    覆土板
１０    ハンドル
１１    スクレーパ
１２    スクレーパ
１４    作溝器本体
１５    櫛刃
１５ａ  前列の櫛刃
１５ｂ  後列の櫛刃
１６    溝埋まり防止具
１７    突部
Ｆ    機体前側
Ｈ    圃場
Ｍ    溝
【図１】
2014023498.tif 000003
【図２】
2014023498.tif 000004
【図３】
2014023498.tif 000005
【図４】
2014023498.tif 000006
【図５】
2014023498.tif 000007